(57)【要約】【課題】  簡易にかつ低コストで、ドアノブを位置を確実に表示することができると同時に、とりわけ災害時においても避難すべき方向に適切に誘導することができる。【解決手段】  標識１０は、ドア１に取り付けられる標識本体１２と、ドアノブ２の位置を表示するノブ表示１４とを備えている。標識本体１２は、ドアノブ２が貫通する取付孔１２ａを有する。標識１０は、更に、入口、出口、非常口、階段、トイレ、駐車場等の付加情報を表示する付加表示をも備えている。これらのノブ表示１４や付加表示１６は、蓄光性材料から形成されている。【選択図】        図１
0003134379.tif 000002
【実用新案登録請求の範囲】
【請求項１】
ドアに取り付けられる標識であって、前記ドアのドアノブの位置を表示するノブ表示を少なくとも備え、前記ノブ表示は、蓄光体材料から形成されていることを特徴とする標識。
【請求項２】
請求項１に記載された標識であって、入口、出口、非常口、階段、トイレ、駐車場その他の付加情報を表示する付加表示をも備えていることを特徴とする標識。
【請求項３】
請求項１又は請求項２のいずれかに記載された標識であって、複数のドアに取り付けられる複数の前記標識が誘導先を示す連続情報を表示することを特徴とする標識。
【請求項４】
請求項１乃至請求項３のいずれかに記載された標識であって、前記ノブ表示が形成される標識本体は、テープ状、フィルム状、シート状又はプレート状のうちのいずれかの形状を有することを特徴とする蓄光材。
【請求項５】
請求項１乃至請求項４のいずれかに記載された標識であって、前記標識本体は、表面に水性又は油性のインク受容層を有し、前記ノブ表示又は前記付加表示は前記蓄光性材料から成るインクをプリンタにより前記インク受容層に印刷して形成されていることを特徴とする標識。
【請求項６】
請求項１乃至請求項５のいずれかに記載された標識であって、前記標識本体は、前記ドアノブを貫通させることができる取付孔を有することを特徴とする標識。
【請求項７】
請求項１乃至請求項６のいずれかに記載された標識であって、前記ドアに着脱自在に取り付けられることを特徴とする標識。
【請求項８】
請求項１乃至請求項７のいずれかに記載された標識であって、少なくとも前記標識本体は、難燃性材料から形成されていることを特徴とする標識。
【考案の詳細な説明】
【技術分野】
【０００１】
本考案は、例えば、商業施設や事業所、駐車場、鉄道施設構内等の公共施設において、各空間を間仕切りするドアに取り付けられ、平時における夜間や暗闇での案内表示としては勿論、特に、火災等の災害時における停電等による暗闇においても避難誘導用の案内表示等に適用することができる標識の改良に関するものである。
【背景技術】
【０００２】
例えば、商業施設や事業所、駐車場、鉄道施設構内等の公共施設等においては、仕切られた各空間が、ドアを介して出入り自在に連結され、最終的にはこのドアを通じて外部等から施設内に出入りすることができる。従って、例えば、夜間や地下施設等における暗闇における平時は勿論のこと、特に、災害等による停電時における暗闇においても、災害から避難するためには、このドアを通じて外部に避難することになる。
【０００３】
しかし、この場合、暗闇においては、ドアの位置を適切に把握することができなければ、迅速、かつ、安全に避難することができない。そのため、ドア等の位置を蛍光表示することが考えられる（例えば、特許文献１参照）。
【０００４】
しかし、ドアは、ドアノブ（ドアハンドル）を回転させることにより開閉されるものが多いため、ドア自体の位置を把握することができても、実際には、ドアノブを適切に把持することができなければ、ドアを通じて外部空間に迅速に避難することができない問題がある。この問題は、１分１秒を争う災害時においては、非常に大きな問題であり、特に、災害時においては精神的にパニック状態に陥っているため、平時であれば何でもなく簡易に判断できることが、慌てるあまり思った通りに行動できなくなるおそれがあることを考えると、なおさらである。
【０００５】
この点、ドアノブ自体に蛍光性を付与することにより、対応することも考えられる（例えば、特許文献２、３等参照）。しかし、ドアノブ自体に蛍光性を付与すると、勢い製造に手間やコストを要すると共に、既存のドアノブに適用するためには、交換や着脱等の作業を要し、簡易に適用することができなくなるおそれがある。とりわけ、ドアノブ自体に蛍光性を付与すると、ドアノブ自体の位置は表示することができるものの、ドアノブ自体が、そもそもそれ程大きな部材ではないため、表示できる情報が限定され、その結果、例えば、公共施設において道程的により外部から遠ざかる方向や行き止まりの部屋に避難してしまったり、更には、平時における案内表示としては全く意味のなさないものとなる。
【０００６】
加えて、これらの従来技術において、とりわけ、火災等の熱を伴う災害の際には、蛍光性が付与された部材が簡易に燃焼等すると、災害時における避難誘導表示としては機能することができない問題もあった。更には、蛍光性材料は、長期にわたって発光することが難しく、夜間のように暗闇状態が長時間にわたって続く状態では、適切に機能を発揮できないおそれがある。
【特許文献１】特開平１１−２０２８１０号公報
【特許文献１】特開平１１−２９６１１６号公報
【特許文献１】特開平１１−３５０８０４号公報
【考案の開示】
【考案が解決しようとする課題】
【０００７】
本考案が解決しようとする課題は、上記の問題点に鑑み、簡易にかつ低コストで、ドアノブを位置を確実に表示することができると同時に、とりわけ災害時においても避難すべき方向に適切に誘導することができる標識を提供することにある。
【課題を解決するための手段】
【０００８】
本考案は、上記の課題を解決するための第１の手段として、ドアに取り付けられる標識であって、ドアのドアノブの位置を表示するノブ表示を少なくとも備え、ノブ表示は、蓄光体材料から形成されていることを特徴とする標識を提供するものである。
【０００９】
本発明は、上記の課題を解決するための第２の手段として、上記第１の解決手段において、入口、出口、非常口、階段、トイレ、駐車場その他の付加情報を表示する付加表示をも備えていることを特徴とする標識を提供するものである。
【００１０】
本発明は、上記の課題を解決するための第３の手段として、上記第１又は第２のいずれかの解決手段において、複数のドアに取り付けられる複数の標識が誘導先を示す連続情報を表示することを特徴とする標識を提供するものである。
【００１１】
本発明は、上記の課題を解決するための第４の手段として、上記第１乃至第３のいずれかの解決手段において、ノブ表示が形成される標識本体はテープ状、フィルム状、シート状又はプレート状のうちのいずれかの形状を有することを特徴とする標識を提供するものである。
【００１２】
本発明は、上記の課題を解決するための第５の手段として、上記第１乃至第４のいずれかの解決手段において、標識本体は、表面に水性又は油性のインク受容層を有し、ノブ表示又は付加表示は蓄光性材料から成るインクをプリンタによりインク受容層に印刷して形成されていることを特徴とする標識を提供するものである。
【００１３】
本発明は、上記の課題を解決するための第６の手段として、上記第１乃至第５のいずれかの解決手段において、標識本体は、ドアノブを貫通させることができる取付孔を有することを特徴とする標識を提供するものである。
【００１４】
本発明は、上記の課題を解決するための第７の手段として、上記第１乃至第６のいずれかの解決手段において、ドアに着脱自在に取り付けられることを特徴とする標識を提供するものである。
【００１５】
本発明は、上記の課題を解決するための第８の手段として、上記第１乃至第７のいずれかの解決手段において、少なくとも標識本体は、難燃性材料から形成されていることを特徴とする標識を提供するものである。
【考案の効果】
【００１６】
本考案によれば、上記のように、ドアのドアノブの位置を表示する蓄光性材料から形成されたノブ表示を備え、ドアに取り付けられる標識としているため、平時は勿論、災害時等における夜間や暗闇においてもドアノブの位置を長時間にわたって確実に表示して、迅速な避難を可能とすることができると共に、既存のドアにも簡易にかつ低コストで適用することができ、その避難時における安全性を高めることができる実益がある。
【００１７】
この場合、同時に、入口、出口、非常口、階段、トイレ、駐車場その他の付加情報を表示する付加表示をも表示することができるため、平時における案内表示として機能させることができるのは勿論のこと、災害時においては、誤った方向へ避難することを回避させ、より安全に避難させることを可能とすることができる実益がある。
【００１８】
この場合、特に、複数のドアに取り付けられる複数の標識が誘導先を示す連続情報を表示させることにより、案内や避難すべき方向への誘導をより一層適切に行うことができ、効率的に、短時間で、目的の方向へ達することができる実益がある。
【００１９】
本考案によれば、上記のように、ノブ表示又は付加表示をプリンタにより印刷して形成しているため、任意の情報パターンを簡易に形成することができる実益がある。
【００２０】
また、本考案によれば、上記のように、標識本体は、ドアノブを貫通させることができる取付孔を有するため、標識をドアノブに跨るようにして設置することができ、標識本体が何らかの原因でドア本体から離脱しても、標識自体が落下することなくドアノブに係合して保持されるため、確実に誘導することができる実益がある。
【００２１】
更に、本考案によれば、上記のように、標識本体を、難燃性材料から形成しているため、火災等の災害時においても、確実に誘導することができる実益がある。
【考案を実施するための最良の形態】
【００２２】
本考案の実施の形態を図面を参照しながら詳細に説明すると、図１乃至図３は、本考案の標識１０を示し、この標識１０は、特に、図１及び図３に示すように、ドア１に取り付けられるものである。この標識１０は、図２に示すように、プレート状の標識本体１２と、この標識本体１２に形成され、ドア１のドアノブ２の位置を表示するノブ表示１４を少なくとも備えている。
【００２３】
（１．標識本体）
この標識本体１２は、接着剤その他の適宜の手段により、図１及び図３に示すように、ドア１に取り付けられる。また、ドア１が金属製材料である場合には磁性材料等により、着脱自在にドア１に取り付けることもでき、これにより、設置がより一層容易となると共に、交換や付け替え作業も、簡易に行うことができる。
【００２４】
また、この標識本体１２は、図１及び図３に示すように、ドアノブ２を貫通させることができる取付孔１２ａを有する。従って、標識１０は、図１及び図３に示すように、この取付孔１２ａにドアノブ２を貫通させた上で、ドア１に取り付けることができる。このため、標識本体１２が何らかの原因でドア１本体から離脱しても、標識１０自体が落下することなくドアノブ２にぶら下がるようにして係合して保持されるため、ノブ表示１４により誘導を行うことができる。特に、ノブ表示１４が、後述するように、矢印状である場合には、標識１０がドアノブ２を中心に回転等して変位しても、ドアノブ２の位置だけは、必ず確実に表示することができる。
【００２５】
なお、図示の実施の形態では、ドアノブ２が、回転式のドアハンドルであるのが示されているが、ノブ表示１４により、その位置を表示すべきドアノブ２は、図示の実施の形態と異なり、引き戸における凹み状のドアノブ２であってもよい。
【００２６】
また、この標識本体１２は、難燃性材料から形成することが望ましい。この難燃性材料としては、特に限定はないが、例えば、難燃性のポリエステルその他の透光性又は白色のオレフィン系樹脂や、その他ポリカーボネート（ＰＣ）とＡＢＳ樹脂から成る白色の樹脂組成物を挙げることができる。これにより、火災等の災害時においても、確実に案内表示として機能することができる。なお、いずれの難燃層も、通常では自己発火点が１８０℃程度であるポリエステル等の樹脂組成物を改良して、自己発火点を少なくとも３００℃以上、好ましくは、４８０℃程度に設定して形成することができる。
【００２７】
また、上記の実施の形態では、標識１０の取扱い性を考慮して、プレート状の標識本体１２としたが、装飾性等の必要性に応じて、それよりも薄いテープ状、フィルム状乃至はシート状の標識本体とすることもできる。
【００２８】
（２．ノブ表示）
一方、ノブ表示１４は、蓄光体材料から形成されている。この蓄光性材料としては、長期間にわたって適切に発光作用を発揮することができれば、特に限定はないが、できるだけ蓄光性能が高く、かつ、特に火災時等においても有害物質を放出しないよう可燃性を有しない材料を使用することが好ましく、例えば、樹脂に放射性物質を含まない無機蓄光顔料を配合して形成されている蓄光性材料を使用することが望ましい。このような蓄光性材料としては、例えば、根本特殊化学株式会社製に代表される蓄光性材料等を挙げることができる。
【００２９】
ノブ表示１４は、この蓄光性材料を、標識本体１２に印刷することにより形成することができる。より具体的には、標識本体１２の表面に、図示しない水性又は油性のインクを受容可能な印刷受容層を形成し、この印刷受容層に、蓄光性材料からインクをインクジェット印刷をすることによりノブ表示１４を形成することができる。これにより、個人的、家庭的なプリンタは勿論のこと、業務用の大型のインクジェットプリンタによっても簡易に任意のパターンを印刷することができ、案内等表示としての求められる多種多様なニーズに適切に応えることができる。
【００３０】
この場合、インクが染料系であれば、例えば、水溶性樹脂からインク受容層を形成することができる。また、顔料系のインクである場合には、インクを受容することができれば特に限定はなく、例えば、多孔性を有する接着層、より具体的には、例えば、シリカやアルミナ等の無職又は白色の多孔質フィラーを、アクリル樹脂、ポリエステル樹脂、エチレン酢酸ビニル共重合体ポリマー、ポリウレタン樹脂等の樹脂をバインダーとして、シート状又はフィルム状に形成したものを、用途等に応じて、また、標識本体１２との接着性を考慮して、適宜選択して使用することができる。いずれの場合も標識本体１２との密着性に充分に考慮する必要がある。
【００３１】
また、この印刷受容層は、その他、有機溶剤を受容するものとすることができる。これにより、オフセット印刷、グラビア印刷、スクリーン印刷その他の有機溶剤系の印刷が可能となり、多種多様なパターンを簡易に大量に印刷して、多数の箇所に設置するのに適した案内等表示として適用することが容易となる。
【００３２】
また、このようにして形成されるノブ表示１４の形状や色彩は、ドアノブ２の位置を確実に表示することができれば、特に限定はないが、一刻を争う災害時等における誘導を考慮すると、一瞬で判別が付く簡易な表示、具体的には、例えば、図１乃至図４に示すように、「矢印形状」の等の記号情報から成るノブ表示とすることが好ましい。加えて、これに「Ｏｐｅｎ」等の文字情報をもって矢印形状等の記号情報の意味を明確化することが望ましい。これにより、平時における明るい場所は勿論のこと、夜間又は暗闇における案内用表示として機能することができるほか、災害時等の緊急時における避難誘導用の表示ととして適切に機能することができる。
【００３３】
（３．付加表示）
また、本考案の標識１０は、少なくとも、上記のノブ表示１４を備えていることが必要であるが、標識本体１２を任意のプレート形状に加工することができるため、図１乃至図図５に示すように、ノブ表示１４以外の場所に、更に付加情報から成る付加表示１６を形成することもできる。この場合、この付加表示１６として表示される付加情報の内容には、特に限定はないが、例えば、「出口」等の情報の他、図２に示すように、入口、非常口、階段、トイレ、駐車場等の情報とすることができる。
【００３４】
また、図４に示すように、地下室、救護室、非常口、階数表示、トイレ表示、駐輪場表示等のドア１の先の空間がどのような用途の場所であるかを示す情報とすることもできる。これにより、平時における案内表示として機能させることができるのは勿論のこと、災害時においては、誤った方向へ避難することを回避させ、より安全に避難させることを可能とすることができる。なお、その他、より一層付加的な情報として、例えば、図５に示すように、進入禁止、禁煙等の禁止情報を、付加情報１６として、案内表示としての機能を、より一層高めることもできる。なお、これらの付加表示１６も、ノブ表示１４と同様の方法で、標識本体１２に形成することができる。また、この付加表示１６は、必ずしも、蓄光性材料から形成されたものには限定されないが、夜間や暗闇における案内乃至は避難誘導用表示としての機能を高めるためには、ノブ表示１４と同様に、蓄光性材料から形成することが望ましい。
【００３５】
加えて、これらのノブ表示１４や、特に、付加表示１６を、複数のドア１に取り付けられる複数の標識１０が誘導先を示す連続情報を表示するように形成することもできる。具体的には、例えば、「道順１、２、３」のように、博物館や水族館等における観覧道順表示としては勿論のこと、「出口」を表示する付加情報を道順毎に表示することにより、特に、災害時等の緊急時において、避難者を安全な外部に確実に誘導することができる。これにより、案内や避難すべき方向への誘導をより一層適切に行うことができ、効率的に、短時間で、目的の方向へ達することができる。
【産業上の利用可能性】
【００３６】
本考案は、平時における夜間や暗闇での案内表示としては勿論、特に、火災等の災害時における停電等による暗闇においても燃焼することなく避難誘導用のドアノブ表示に適用することができ、例えば、特に、地下鉄の駅構内や地下街等の地下通路や、工場設備等に設置するのに適している。
【図面の簡単な説明】
【００３７】
【図１】本考案の標識をドアに取り付けた状態の正面図である。
【図２】本考案の標識の正面図である。
【図３】本考案の他の実施の形態の標識をドアに取り付けた状態の正面図である。
【図４】本考案の標識に使用される付加表示の例示である。
【図５】本考案の標識に使用される不可表示の他の形態における例示である。
【符号の説明】
【００３８】
１  ドア
２  ドアノブ
１０  標識
１２  標識本体
１２ａ  取付孔
１４  ノブ表示
１６  付加表示
【図１】
0003134379.tif 000003
【図２】
0003134379.tif 000004
【図３】
0003134379.tif 000005
【図４】
0003134379.tif 000006
【図５】
0003134379.tif 000007
【手続補正書】
【提出日】平成19年6月18日(2007.6.18)
【手続補正１】
【補正対象書類名】実用新案登録請求の範囲
【補正対象項目名】全文
【補正方法】変更
【補正の内容】
【実用新案登録請求の範囲】
【請求項１】
ドアに取り付けられる標識本体と、前記標識本体に形成され前記ドアのドアノブの位置を表示するノブ表示を少なくとも備えた標識であって、前記ノブ表示は、蓄光体材料から形成されていることを特徴とする標識。
【請求項２】
請求項１に記載された標識であって、入口、出口、非常口、階段、トイレ、駐車場その他の付加情報を表示する付加表示をも備えていることを特徴とする標識。
【請求項３】
請求項１又は請求項２のいずれかに記載された標識であって、複数のドアに取り付けられる複数の前記標識が誘導先を示す連続情報を表示することを特徴とする標識。
【請求項４】
請求項１乃至請求項３のいずれかに記載された標識であって、前記ノブ表示が形成される標識本体は、テープ状、フィルム状、シート状又はプレート状のうちのいずれかの形状を有することを特徴とする標識。
【請求項５】
請求項１乃至請求項４のいずれかに記載された標識であって、前記標識本体は、表面に水性又は油性のインク受容層を有し、前記ノブ表示又は前記付加表示は前記蓄光性材料から成るインクをプリンタにより前記インク受容層に印刷して形成されていることを特徴とする標識。
【請求項６】
請求項１乃至請求項５のいずれかに記載された標識であって、前記標識本体は、前記ドアノブを貫通させることができる取付孔を有することを特徴とする標識。
【請求項７】
請求項１乃至請求項６のいずれかに記載された標識であって、前記標識本体は、前記ドアに着脱自在に取り付けられることを特徴とする標識。
【請求項８】
請求項１乃至請求項７のいずれかに記載された標識であって、少なくとも前記標識本体は、難燃性材料から形成されていることを特徴とする標識。
【手続補正２】
【補正対象書類名】明細書
【補正対象項目名】全文
【補正方法】変更
【補正の内容】
【考案の詳細な説明】
【技術分野】
【０００１】
本考案は、例えば、商業施設や事業所、駐車場、鉄道施設構内等の公共施設において、各空間を間仕切りするドアに取り付けられ、平時における夜間や暗闇での案内表示としては勿論、特に、火災等の災害時における停電等による暗闇においても避難誘導用の案内表示等に適用することができる標識の改良に関するものである。
【背景技術】
【０００２】
例えば、商業施設や事業所、駐車場、鉄道施設構内等の公共施設等においては、仕切られた各空間が、ドアを介して出入り自在に連結され、最終的にはこのドアを通じて外部等から施設内に出入りすることができる。従って、例えば、夜間や地下施設等における暗闇における平時は勿論のこと、特に、災害等による停電時における暗闇においても、災害から避難するためには、このドアを通じて外部に避難することになる。
【０００３】
しかし、この場合、暗闇においては、ドアの位置を適切に把握することができなければ、迅速、かつ、安全に避難することができない。そのため、ドア等の位置を蛍光表示することが考えられる（例えば、特許文献１参照）。
【０００４】
しかし、ドアは、ドアノブ（ドアハンドル）を回転させることにより開閉されるものが多いため、ドア自体の位置を把握することができても、実際には、ドアノブを適切に把持することができなければ、ドアを通じて外部空間に迅速に避難することができない問題がある。この問題は、１分１秒を争う災害時においては、非常に大きな問題であり、特に、災害時においては精神的にパニック状態に陥っているため、平時であれば何でもなく簡易に判断できることが、慌てるあまり思った通りに行動できなくなるおそれがあることを考えると、なおさらである。
【０００５】
この点、ドアノブ自体に蛍光性を付与することにより、対応することも考えられる（例えば、特許文献２、３等参照）。しかし、ドアノブ自体に蛍光性を付与すると、勢い製造に手間やコストを要すると共に、既存のドアノブに適用するためには、交換や着脱等の作業を要し、簡易に適用することができなくなるおそれがある。とりわけ、ドアノブ自体に蛍光性を付与すると、ドアノブ自体の位置は表示することができるものの、ドアノブ自体が、そもそもそれ程大きな部材ではないため、表示できる情報が限定され、その結果、例えば、公共施設において道程的により外部から遠ざかる方向や行き止まりの部屋に避難してしまったり、更には、平時における案内表示としては全く意味のなさないものとなる。
【０００６】
加えて、これらの従来技術において、とりわけ、火災等の熱を伴う災害の際には、蛍光性が付与された部材が簡易に燃焼等すると、災害時における避難誘導表示としては機能することができない問題もあった。更には、蛍光性材料は、長期にわたって発光することが難しく、夜間のように暗闇状態が長時間にわたって続く状態では、適切に機能を発揮できないおそれがある。
【特許文献１】特開平１１−２０２８１０号公報
【特許文献１】特開平１１−２９６１１６号公報
【特許文献１】特開平１１−３５０８０４号公報
【考案の開示】
【考案が解決しようとする課題】
【０００７】
本考案が解決しようとする課題は、上記の問題点に鑑み、簡易にかつ低コストで、ドアノブを位置を確実に表示することができると同時に、とりわけ災害時においても避難すべき方向に適切に誘導することができる標識を提供することにある。
【課題を解決するための手段】
【０００８】
本考案は、上記の課題を解決するための第１の手段として、ドアに取り付けられる標識本体と、この標識本体に形成されドアのドアノブの位置を表示するノブ表示を少なくとも備えた標識であって、このノブ表示は、蓄光体材料から形成されていることを特徴とする標識を提供するものである。
【０００９】
本発明は、上記の課題を解決するための第２の手段として、上記第１の解決手段において、入口、出口、非常口、階段、トイレ、駐車場その他の付加情報を表示する付加表示をも備えていることを特徴とする標識を提供するものである。
【００１０】
本発明は、上記の課題を解決するための第３の手段として、上記第１又は第２のいずれかの解決手段において、複数のドアに取り付けられる複数の標識が誘導先を示す連続情報を表示することを特徴とする標識を提供するものである。
【００１１】
本発明は、上記の課題を解決するための第４の手段として、上記第１乃至第３のいずれかの解決手段において、ノブ表示が形成される標識本体はテープ状、フィルム状、シート状又はプレート状のうちのいずれかの形状を有することを特徴とする標識を提供するものである。
【００１２】
本発明は、上記の課題を解決するための第５の手段として、上記第１乃至第４のいずれかの解決手段において、標識本体は、表面に水性又は油性のインク受容層を有し、ノブ表示又は付加表示は蓄光性材料から成るインクをプリンタによりインク受容層に印刷して形成されていることを特徴とする標識を提供するものである。
【００１３】
本発明は、上記の課題を解決するための第６の手段として、上記第１乃至第５のいずれかの解決手段において、標識本体は、ドアノブを貫通させることができる取付孔を有することを特徴とする標識を提供するものである。
【００１４】
本発明は、上記の課題を解決するための第７の手段として、上記第１乃至第６のいずれかの解決手段において、標識本体は、ドアに着脱自在に取り付けられることを特徴とする標識を提供するものである。
【００１５】
本発明は、上記の課題を解決するための第８の手段として、上記第１乃至第７のいずれかの解決手段において、少なくとも標識本体は、難燃性材料から形成されていることを特徴とする標識を提供するものである。
【考案の効果】
【００１６】
本考案によれば、上記のように、ドアのドアノブの位置を表示する蓄光性材料から形成されたノブ表示を備え、ドアに取り付けられる標識としているため、平時は勿論、災害時等における夜間や暗闇においてもドアノブの位置を長時間にわたって確実に表示して、迅速な避難を可能とすることができると共に、既存のドアにも簡易にかつ低コストで適用することができ、その避難時における安全性を高めることができる実益がある。
【００１７】
この場合、同時に、入口、出口、非常口、階段、トイレ、駐車場その他の付加情報を表示する付加表示をも表示することができるため、平時における案内表示として機能させることができるのは勿論のこと、災害時においては、誤った方向へ避難することを回避させ、より安全に避難させることを可能とすることができる実益がある。
【００１８】
この場合、特に、複数のドアに取り付けられる複数の標識が誘導先を示す連続情報を表示させることにより、案内や避難すべき方向への誘導をより一層適切に行うことができ、効率的に、短時間で、目的の方向へ達することができる実益がある。
【００１９】
本考案によれば、上記のように、ノブ表示又は付加表示をプリンタにより印刷して形成しているため、任意の情報パターンを簡易に形成することができる実益がある。
【００２０】
また、本考案によれば、上記のように、標識本体は、ドアノブを貫通させることができる取付孔を有するため、標識をドアノブに跨るようにして設置することができ、標識本体が何らかの原因でドア本体から離脱しても、標識自体が落下することなくドアノブに係合して保持されるため、確実に誘導することができる実益がある。
【００２１】
更に、本考案によれば、上記のように、標識本体を、難燃性材料から形成しているため、火災等の災害時においても、確実に誘導することができる実益がある。
【考案を実施するための最良の形態】
【００２２】
本考案の実施の形態を図面を参照しながら詳細に説明すると、図１乃至図３は、本考案の標識１０を示し、この標識１０は、特に、図１及び図３に示すように、ドア１に取り付けられるものである。この標識１０は、図２に示すように、プレート状の標識本体１２と、この標識本体１２に形成され、ドア１のドアノブ２の位置を表示するノブ表示１４を少なくとも備えている。
【００２３】
（１．標識本体）
この標識本体１２は、接着剤その他の適宜の手段により、図１及び図３に示すように、ドア１に取り付けられる。また、ドア１が金属製材料である場合には磁性材料等により、着脱自在にドア１に取り付けることもでき、これにより、設置がより一層容易となると共に、交換や付け替え作業も、簡易に行うことができる。
【００２４】
また、この標識本体１２は、図１及び図３に示すように、ドアノブ２を貫通させることができる取付孔１２ａを有する。従って、標識１０は、図１及び図３に示すように、この取付孔１２ａにドアノブ２を貫通させた上で、ドア１に取り付けることができる。このため、標識本体１２が何らかの原因でドア１本体から離脱しても、標識１０自体が落下することなくドアノブ２にぶら下がるようにして係合して保持されるため、ノブ表示１４により誘導を行うことができる。特に、ノブ表示１４が、後述するように、矢印状である場合には、標識１０がドアノブ２を中心に回転等して変位しても、ドアノブ２の位置だけは、必ず確実に表示することができる。
【００２５】
なお、図示の実施の形態では、ドアノブ２が、回転式のドアハンドルであるのが示されているが、ノブ表示１４により、その位置を表示すべきドアノブ２は、図示の実施の形態と異なり、引き戸における凹み状のドアノブ２であってもよい。
【００２６】
また、この標識本体１２は、難燃性材料から形成することが望ましい。この難燃性材料としては、特に限定はないが、例えば、難燃性のポリエステルその他の透光性又は白色のオレフィン系樹脂や、その他ポリカーボネート（ＰＣ）とＡＢＳ樹脂から成る白色の樹脂組成物を挙げることができる。これにより、火災等の災害時においても、確実に案内表示として機能することができる。なお、いずれの難燃層も、通常では自己発火点が１８０℃程度であるポリエステル等の樹脂組成物を改良して、自己発火点を少なくとも３００℃以上、好ましくは、４８０℃程度に設定して形成することができる。
【００２７】
また、上記の実施の形態では、標識１０の取扱い性を考慮して、プレート状の標識本体１２としたが、装飾性等の必要性に応じて、それよりも薄いテープ状、フィルム状乃至はシート状の標識本体とすることもできる。
【００２８】
（２．ノブ表示）
一方、ノブ表示１４は、蓄光体材料から形成されている。この蓄光性材料としては、長期間にわたって適切に発光作用を発揮することができれば、特に限定はないが、できるだけ蓄光性能が高く、かつ、特に火災時等においても有害物質を放出しないよう可燃性を有しない材料を使用することが好ましく、例えば、樹脂に放射性物質を含まない無機蓄光顔料を配合して形成されている蓄光性材料を使用することが望ましい。このような蓄光性材料としては、例えば、根本特殊化学株式会社製に代表される蓄光性材料等を挙げることができる。
【００２９】
ノブ表示１４は、この蓄光性材料を、標識本体１２に印刷することにより形成することができる。より具体的には、標識本体１２の表面に、図示しない水性又は油性のインクを受容可能な印刷受容層を形成し、この印刷受容層に、蓄光性材料からインクをインクジェット印刷をすることによりノブ表示１４を形成することができる。これにより、個人的、家庭的なプリンタは勿論のこと、業務用の大型のインクジェットプリンタによっても簡易に任意のパターンを印刷することができ、案内等表示としての求められる多種多様なニーズに適切に応えることができる。
【００３０】
この場合、インクが染料系であれば、例えば、水溶性樹脂からインク受容層を形成することができる。また、顔料系のインクである場合には、インクを受容することができれば特に限定はなく、例えば、多孔性を有する接着層、より具体的には、例えば、シリカやアルミナ等の無職又は白色の多孔質フィラーを、アクリル樹脂、ポリエステル樹脂、エチレン酢酸ビニル共重合体ポリマー、ポリウレタン樹脂等の樹脂をバインダーとして、シート状又はフィルム状に形成したものを、用途等に応じて、また、標識本体１２との接着性を考慮して、適宜選択して使用することができる。いずれの場合も標識本体１２との密着性に充分に考慮する必要がある。
【００３１】
また、この印刷受容層は、その他、有機溶剤を受容するものとすることができる。これにより、オフセット印刷、グラビア印刷、スクリーン印刷その他の有機溶剤系の印刷が可能となり、多種多様なパターンを簡易に大量に印刷して、多数の箇所に設置するのに適した案内等表示として適用することが容易となる。
【００３２】
また、このようにして形成されるノブ表示１４の形状や色彩は、ドアノブ２の位置を確実に表示することができれば、特に限定はないが、一刻を争う災害時等における誘導を考慮すると、一瞬で判別が付く簡易な表示、具体的には、例えば、図１乃至図４に示すように、「矢印形状」の等の記号情報から成るノブ表示とすることが好ましい。加えて、これに「Ｏｐｅｎ」等の文字情報をもって矢印形状等の記号情報の意味を明確化することが望ましい。これにより、平時における明るい場所は勿論のこと、夜間又は暗闇における案内用表示として機能することができるほか、災害時等の緊急時における避難誘導用の表示ととして適切に機能することができる。
【００３３】
（３．付加表示）
また、本考案の標識１０は、少なくとも、上記のノブ表示１４を備えていることが必要であるが、標識本体１２を任意のプレート形状に加工することができるため、図１乃至図図５に示すように、ノブ表示１４以外の場所に、更に付加情報から成る付加表示１６を形成することもできる。この場合、この付加表示１６として表示される付加情報の内容には、特に限定はないが、例えば、「出口」等の情報の他、図２に示すように、入口、非常口、階段、トイレ、駐車場等の情報とすることができる。
【００３４】
また、図４に示すように、地下室、救護室、非常口、階数表示、トイレ表示、駐輪場表示等のドア１の先の空間がどのような用途の場所であるかを示す情報とすることもできる。これにより、平時における案内表示として機能させることができるのは勿論のこと、災害時においては、誤った方向へ避難することを回避させ、より安全に避難させることを可能とすることができる。なお、その他、より一層付加的な情報として、例えば、図５に示すように、進入禁止、禁煙等の禁止情報を、付加情報１６として、案内表示としての機能を、より一層高めることもできる。なお、これらの付加表示１６も、ノブ表示１４と同様の方法で、標識本体１２に形成することができる。また、この付加表示１６は、必ずしも、蓄光性材料から形成されたものには限定されないが、夜間や暗闇における案内乃至は避難誘導用表示としての機能を高めるためには、ノブ表示１４と同様に、蓄光性材料から形成することが望ましい。
【００３５】
加えて、これらのノブ表示１４や、特に、付加表示１６を、複数のドア１に取り付けられる複数の標識１０が誘導先を示す連続情報を表示するように形成することもできる。具体的には、例えば、「道順１、２、３」のように、博物館や水族館等における観覧道順表示としては勿論のこと、「出口」を表示する付加情報を道順毎に表示することにより、特に、災害時等の緊急時において、避難者を安全な外部に確実に誘導することができる。これにより、案内や避難すべき方向への誘導をより一層適切に行うことができ、効率的に、短時間で、目的の方向へ達することができる。
【産業上の利用可能性】
【００３６】
本考案は、平時における夜間や暗闇での案内表示としては勿論、特に、火災等の災害時における停電等による暗闇においても燃焼することなく避難誘導用のドアノブ表示に適用することができ、例えば、特に、地下鉄の駅構内や地下街等の地下通路や、工場設備等に設置するのに適している。
【図面の簡単な説明】
【００３７】
【図１】本考案の標識をドアに取り付けた状態の正面図である。
【図２】本考案の標識の正面図である。
【図３】本考案の他の実施の形態の標識をドアに取り付けた状態の正面図である。
【図４】本考案の標識に使用される付加表示の例示である。
【図５】本考案の標識に使用される不可表示の他の形態における例示である。
【符号の説明】
【００３８】
１  ドア
２  ドアノブ
１０  標識
１２  標識本体
１２ａ  取付孔
１４  ノブ表示
１６  付加表示